(57)【要約】【課題】複数の短尺ヘッドを着脱可能に組み合わせて長尺ヘッドを構成し、高速吐出を可能とするとともに、構造の簡略化、歩留り向上及びメンテナンス性の向上を図る。【解決手段】液滴を吐出する吐出口を有する複数の短尺ヘッドモジュールをベース基板に組み込むことで長尺ヘッドとして構成された液滴吐出ヘッドであって、前記ベース基板にその長手方向の全域にわたって形成された、前記各短尺ヘッドモジュールに液を供給するための共通の供給流路と、前記各短尺ヘッドモジュールを前記ベース基板に着脱可能に取り付けるための位置決め機構と、を有することを特徴とする液滴吐出ヘッドを提供することにより前記課題を解決する。【選択図】      図３
2005329595.tif 000002
【特許請求の範囲】
【請求項１】
液滴を吐出する吐出口を有する複数の短尺ヘッドモジュールをベース基板に組み込むことで長尺ヘッドとして構成された液滴吐出ヘッドであって、
前記ベース基板にその長手方向の全域にわたって形成された、前記各短尺ヘッドモジュールに液を供給するための共通の供給流路と、
前記各短尺ヘッドモジュールを前記ベース基板に着脱可能に取り付けるための位置決め機構と、
を有することを特徴とする液滴吐出ヘッド。
【請求項２】
前記各短尺ヘッドモジュールを前記ベース基板に着脱可能に取り付ける際、前記各短尺ヘッドモジュールを、前記ベース基板の長手方向においてその一部が相互にオーバーラップするように配置するとともに、前記ベース基板に形成された前記共通の供給流路と前記短尺ヘッドモジュール内の液流路とが直接連通するような連結部によって取り付けるようにしたことを特徴とする請求項１に記載の液滴吐出ヘッド。
【請求項３】
前記ベース基板に形成された前記共通の供給流路と前記短尺ヘッドモジュール内の液流路との前記連結部を、前記短尺ヘッドモジュールと前記ベース基板との取り付けの際の前記位置決め機構と兼用としたことを特徴とする請求項１または２に記載の液滴吐出ヘッド。
【請求項４】
前記ベース基板に形成された前記共通の供給流路と前記短尺ヘッドモジュール内の液流路との前記連結部において前記ベース基板側に逆止弁が設けられたことを特徴とする請求項１〜３のいずれか１項に記載の液滴吐出ヘッド。
【請求項５】
前記短尺ヘッドモジュールを交換する際、前記ベース基板側に設けらた逆止弁により前記交換する短尺ヘッドモジュール内の液を空にしてから取り外すことができるようにしたことを特徴とする請求項４に記載の液滴吐出ヘッド。
【請求項６】
前記ベース基板に形成された前記共通の供給流路は、前記ベース基板内で液滴を循環させるため、行き止まりのない流路構造を有することを特徴とする請求項１〜５のいずれか１項に記載の液滴吐出ヘッド。
【請求項７】
前記ベース基板に形成された前記共通の供給流路と前記短尺ヘッドモジュール内のそれぞれの液流路との連結部が、前記短尺ヘッドモジュール側に少なくとも２箇所以上設置されたことを特徴とする請求項１〜６に記載の液滴吐出ヘッド。
【請求項８】
請求項１〜７のいずれか１項に記載の液滴吐出ヘッドを備えたことを特徴とする画像形成装置。
【請求項９】
前記ベース基板に形成された前記共通の供給流路の流路抵抗ローカリティデータに基づいて、前記各短尺ヘッドモジュールの吐出量を補正する駆動波形を前記各短尺ヘッドモジュールに与えるようにしたことを特徴とする請求項８に記載の画像形成装置。
【発明の詳細な説明】
【技術分野】
【０００１】
本発明は、液滴吐出ヘッド及び画像形成装置に係り、特に、複数の短尺ヘッドを被記録媒体幅方向に着脱可能に並べて長尺のラインヘッドを形成するようにした液滴吐出ヘッド及び画像形成装置に関する。
【背景技術】
【０００２】
従来より、例えばノズルにインクを供給し、ノズルから被記録媒体に向けてインクを微小なインク滴として吐出させて記録を行うインクジェットヘッド等の液滴吐出ヘッドが知られている。また、このようなノズル（液滴吐出口）を多数配列させたインクジェットヘッド（液滴吐出ヘッド）と被記録媒体を相対的に移動させながら、印字データ（画像データ）に応じて、ノズルからインクを液滴として吐出して被記録媒体上に画像を形成する画像形成装置としてインクジェットプリンタが知られている。
【０００３】
インクジェットプリンタには、短尺のヘッドを被記録媒体の幅方向に走査させながら記録を行うシリアルヘッドや、被記録媒体の最大幅に対応する長さを有し、その長さの全域に対応してノズルが配列されている長尺のラインヘッドを用いるものがある。
【０００４】
シリアルヘッドを用いたものでは、被記録媒体の幅方向に走査して１ライン（または数ライン）記録する毎に被記録媒体を幅方向と直交する方向に１度の幅方向への走査で記録したライン数分だけ搬送して記録を行っており、短尺ヘッドを被記録媒体の幅方向に走査するキャリッジ等の搬送系を必要とするとともに、キャリッジの移動と被記録媒体との複雑な走査制御を必要とする。
【０００５】
これに対し、ラインヘッドを用いたものでは、ノズルの配列方向と直交する方向に被記録媒体を走査させるのみで被記録媒体の全面に画像記録を行うことができ、短尺ヘッドを走査するキャリッジ等の搬送系が不要となり、また、キャリッジの移動と被記録媒体との複雑な走査制御も不要となる。また、被記録媒体だけをその幅方向と直交する方向に移動することで被記録媒体全面に記録できるので、シリアルヘッドを用いたプリンタに比べて記録速度の高速化が実現できる。
【０００６】
インクジェットプリンタでは、ノズルから吐出されたインクによって形成されるドットを組み合わせることにより１つの画像が表現されている。これらドットのサイズを小さくし、１画像あたりの画素数が多くなるように、インクジェットヘッドに搭載されるノズルを高密度化することによって高画質が実現されている。
【０００７】
一般的に、長尺のラインヘッドを製作するときには、ノズル位置の高精度化が必須である。しかし部品を長尺化するとノズル数の増加から歩留りが悪くなったり、加工上累積ピッチ誤差が大きくなる傾向がある等の問題が発生する。そこで従来、これらの問題を回避するために、複数の小さなヘッドを高精度に位置決めしてつなげることにより長尺のラインヘッドを製作する方法がいろいろ提案されている。
【０００８】
例えば、ヘッド長手方向から傾斜した方向に複数の圧力室を並べた圧力室列を、ヘッド長手方向に互いに平行に複数列配列し、さらに各圧力室列の列方向と平行な辺を有する平行四辺形状に形成されたアクチュエータブロックを互いに離隔させてヘッド長手方向に配列して長尺のラインヘッドを構成することにより、ライン型のインクジェットヘッド及びそれを備えた記録装置において、薄膜アクチュエータの圧電特性及び膜厚等の特性の均一化、膜の割れの防止、製造の歩留りの向上、製造設備の小型化、低価格化などを図るようにしたものが知られている（例えば、特許文献１等参照）。
【０００９】
また、用紙送り方向を横切るようにインク流路を形成し、このインク流路の両側に、インク流路側よりインクを導くように交互にヘッドチップを配置して、ヘッドチップ（短尺ヘッド）をつなぎ合わせてラインヘッドを構成することにより、簡易な構成により印刷精度を高解像度化するようにするものが知られている（例えば、特許文献２等参照）。
【００１０】
また、（交換可能な）保守交換単位の（短尺の）マトリクス形インクジェットヘッドを交互に並べてライン形インクジェットプリンタを構成する場合に、上記交互に並べる短尺のヘッドを合わせて数えて、奇数番目のヘッドを位置決め固定し、偶数番目のヘッドは１画素分の調整幅を持つようにして、印刷幅不良とヘッドのつなぎ目での印刷不整を回避するようにしたものが知られている（例えば、特許文献３等参照）。
【００１１】
また、短尺ヘッドを複数用いて実質的に多数のノズルを備えた長尺ヘッドを実現する場合に、サブキャリッジに短尺ヘッドを装脱着自在に配列して長尺化して、短尺ヘッド間の繋ぎ目のノズルがない部分においては、ヘッドをずらして再度走査して印刷するようにしたものが知られている（例えば、特許文献４等参照）。
【００１２】
なお、ヘッドを長尺化した場合には、各圧力室にインクを均一に、且つ高速に供給することが重要となるが、このインクの供給に関して、圧力室の一端を第１のリザーバに連通させ、圧力室の他端は第２のリザーバに連通させ、さらに第３のリザーバを第１のリザーバの他端と第２のリザーバの他端と連通させるようにして、片側のリザーバにインクを供給し、もう一方から排出することで、圧力室内の液を循環させるようにして、インク充填の均一化、高速化、無駄インクの抑制を図り、ランニングコストを抑えるようにするものが知られている（例えば、特許文献５等参照）。
【特許文献１】特開２００２−２２５２６３号公報
【特許文献２】特開２００２−３６５２２号公報
【特許文献３】特開２００２−３３７３２０号公報
【特許文献４】特開２００１−９６７３４号公報
【特許文献５】特開平６−１４３６０２号公報
【発明の開示】
【発明が解決しようとする課題】
【００１３】
しかしながら、従来の短尺ヘッドを並べて長尺化したラインヘッドにおいては、個々の短尺ヘッドが完全に独立しているため、個々の短尺ヘッド毎に内圧をコントロールしないとインク供給のばらつきにより安定性が低下するという問題がある。
【００１４】
また、上記特許文献１に記載のものでは、分割されているのがアクチュエータだけであるため、流路部材は長尺加工となり、累積ピッチ誤差が大きくなり、また流路の一部が故障しただけでヘッド全体を交換しなければならないという問題がある。
【００１５】
また、上記特許文献２に記載のものでは、分割されたヘッドチップは共通流路の基盤に固定されているため、ヘッド交換ができず、やはり一部のノズルから吐出できなくなるとヘッド全体を交換しなければならないという問題がある。
【００１６】
また、上記特許文献３に記載のものは、マトリクス配列により共通液室の断面積が増加し、高粘度のインクを吐出可能であり、それぞれのヘッドは交換可能であるが、ヘッド交換時にヘッドに液が残っているため、メンテナンス性が悪い。
【００１７】
また、上記特許文献４に記載のものは、ヘッドが完全に独立して個別的に内圧コントロールを行っており、またヘッド繋ぎ目にノズルのない隙間があるため、１画面をシングルパスで印刷できないという問題がある。さらに、上記特許文献３のものと同様に、ヘッド交換時にヘッドに液が残っているため、メンテナンス性が悪いという問題もある。
【００１８】
また、上記特許文献５に記載のものは、圧力室に複数の供給絞りがあるため、圧力損失が小さくなり、インク吐出時のインクの戻り量が大きくなるため、インク吐出に必要なアクチュエータのエネルギーが大きくなってしまうという問題がある。
【００１９】
本発明は、このような事情に鑑みてなされたもので、複数の短尺ヘッドを着脱可能に組み合わせて長尺ヘッドを構成し、高速吐出を可能とするとともに、構造の簡略化、歩留り向上及びメンテナンス性の向上を図ることのできる液滴吐出ヘッド及び画像形成装置を提供することを目的とする。
【課題を解決するための手段】
【００２０】
前記目的を達成するために、請求項１に記載の発明は、液滴を吐出する吐出口を有する複数の短尺ヘッドモジュールをベース基板に組み込むことで長尺ヘッドとして構成された液滴吐出ヘッドであって、前記ベース基板にその長手方向の全域にわたって形成された、前記各短尺ヘッドモジュールに液を供給するための共通の供給流路と、前記各短尺ヘッドモジュールを前記ベース基板に着脱可能に取り付けるための位置決め機構と、を有することを特徴とする液滴吐出ヘッドを提供する。
【００２１】
これにより、短尺ヘッドモジュールが故障した場合に、部分的に短尺ヘッドモジュール単位でヘッド交換が可能となり、メンテナンス性を向上させることができる。
【００２２】
また、請求項２に示すように、前記各短尺ヘッドモジュールを前記ベース基板に着脱可能に取り付ける際、前記各短尺ヘッドモジュールを、前記ベース基板の長手方向においてその一部が相互にオーバーラップするように配置するとともに、前記ベース基板に形成された前記共通の供給流路と前記短尺ヘッドモジュール内の液流路とが直接連通するような連結部によって取り付けるようにしたことを特徴とする。
【００２３】
これにより、液滴吐出口（ノズル）を高密度に配置した長尺ヘッドを構成することができる。さらに、短尺ヘッドモジュールのつなぎ部の打滴補正が容易に可能な構造とすることができる。
【００２４】
また、請求項３に示すように、前記ベース基板に形成された前記共通の供給流路と前記短尺ヘッドモジュール内の液流路との前記連結部を、前記短尺ヘッドモジュールと前記ベース基板との取り付けの際の前記位置決め機構と兼用としたことを特徴とする。これにより、各短尺ヘッドモジュールの取り付けが容易になるとともに、構造を簡略化させることができる。
【００２５】
また、請求項４に示すように、前記ベース基板に形成された前記共通の供給流路と前記短尺ヘッドモジュール内の液流路との前記連結部において前記ベース基板側に逆止弁が設けられたことを特徴とする。これにより、ヘッド交換時に液滴が漏れないためヘッドの交換作業効率が向上する。
【００２６】
また、請求項５に示すように、前記短尺ヘッドモジュールを交換する際、前記ベース基板側に設けらた逆止弁により前記交換する短尺ヘッドモジュール内の液を空にしてから取り外すことができるようにしたことを特徴とする。これにより、液を無駄にすることなく容易に短尺ヘッドの交換を行うことができる。
【００２７】
また、請求項６に示すように、前記ベース基板に形成された前記共通の供給流路は、前記ベース基板内で液滴を循環させるため、行き止まりのない流路構造を有することを特徴とする。これにより、各短尺ヘッドモジュールに対し液滴を循環供給することができ、各短尺ヘッドに液滴が行き渡り易くなるとともに、各短尺ヘッドモジュールに液滴を効率的に充填し、液滴を循環させることで高速吐出を実現することができる。
【００２８】
また、請求項７に示すように、前記ベース基板に形成された前記共通の供給流路と前記短尺ヘッドモジュール内のそれぞれの液流路との連結部が、前記短尺ヘッドモジュール側に少なくとも２箇所以上設置されたことを特徴とする。これにより、短尺ヘッド側の液滴流路において液滴を循環させることが可能となり、液滴の初期装填性が良好となるとともに、気泡の排出性を向上させることができる。
【００２９】
また、同様に前記目的を達成するために、請求項８に記載の発明は、請求項１〜７のいずれか１項に記載の液滴吐出ヘッドを備えたことを特徴とする画像形成装置を提供する。さらに、請求項９に示すように、前記ベース基板に形成された前記共通の供給流路の流路抵抗ローカリティデータに基づいて、前記各短尺ヘッドモジュールの吐出量を補正する駆動波形を前記各短尺ヘッドモジュールに与えるようにしたことを特徴とする。
【００３０】
これにより、長尺ヘッドの流路抵抗ローカリティを抑制して、安定した液滴供給及び安定した吐出量を確保することができる。
【発明の効果】
【００３１】
以上説明したように、本発明に係る液滴吐出ヘッド及び画像形成装置によれば、ベース基板の長手方向の全域にわたって形成された共通の供給流路に対して、複数の短尺ヘッドモジュールをこれから液の供給を受けるように着脱可能に取り付けることにより、高速吐出を可能とするとともに、構造の簡略化、歩留り向上及びメンテナンス性の向上を図ることが可能となる。
【発明を実施するための最良の形態】
【００３２】
以下、添付した図面を参照して、本発明に係る液滴吐出ヘッド及び画像形成装置について詳細に説明する。
【００３３】
図１は、本発明の第１実施形態に係る画像形成装置としてのインクジェット記録装置の全体構成図である。同図に示したように、このインクジェット記録装置１０は、インクの色ごとに設けられた複数の印字ヘッド１２Ｋ，１２Ｃ，１２Ｍ，１２Ｙを有する印字部１２と、各印字ヘッド１２Ｋ，１２Ｃ，１２Ｍ，１２Ｙに供給するインクを貯蔵しておくインク貯蔵／装填部１４と、記録紙１６を供給する給紙部１８と、記録紙１６のカールを除去するデカール処理部２０と、前記印字部１２のノズル面（インク吐出面）に対向して配置され、記録紙１６の平面性を保持しながら記録紙１６を搬送する吸着ベルト搬送部２２と、印字部１２による印字結果を読み取る印字検出部２４と、印画済みの記録紙（プリント物）を外部に排紙する排紙部２６と、を備えている。
【００３４】
図１では、給紙部１８の一例としてロール紙（連続用紙）のマガジンが示されているが、紙幅や紙質等が異なる複数のマガジンを併設してもよい。また、ロール紙のマガジンに代えて、又はこれと併用して、カット紙が積層装填されたカセットによって用紙を供給してもよい。
【００３５】
複数種類の記録紙を利用可能な構成にした場合、紙の種類情報を記録したバーコード或いは無線タグなどの情報記録体をマガジンに取り付け、その情報記録体の情報を所定の読取装置によって読み取ることで、使用される用紙の種類を自動的に判別し、用紙の種類に応じて適切なインク吐出を実現するようにインク吐出制御を行うことが好ましい。
【００３６】
給紙部１８から送り出される記録紙１６はマガジンに装填されていたことによる巻きクセが残り、カールする。このカールを除去するために、デカール処理部２０においてマガジンの巻きクセ方向と逆方向にカールさせながら加熱ドラム３０で記録紙１６に熱を与える。このとき、多少印字面が外側に弱いカールとなるように加熱温度を制御するとより好ましい。
【００３７】
ロール紙を使用する装置構成の場合、図１のように、裁断用のカッター（第１のカッター）２８が設けられており、該カッター２８によってロール紙は所望のサイズにカットされる。カッター２８は、記録紙１６の搬送路幅以上の長さを有する固定刃２８Ａと、該固定刃２８Ａに沿って移動する丸刃２８Ｂとから構成されており、印字裏面側に固定刃２８Ａが設けられ、搬送路を挟んで印字面側に丸刃２８Ｂが配置される。なお、カット紙を使用する場合には、カッター２８は不要である。
【００３８】
デカール処理後、カットされた記録紙１６は、吸着ベルト搬送部２２へと送られる。吸着ベルト搬送部２２は、ローラ３１、３２間に無端状のベルト３３が巻き掛けられた構造を有し、少なくとも印字部１２のノズル面及び印字検出部２４のセンサ面に対向する部分が平面（フラット面）をなすように構成されている。
【００３９】
ベルト３３は、記録紙１６の幅よりも広い幅寸法を有しており、ベルト面には多数の吸引孔（不図示）が形成されている。図１に示したとおり、ローラ３１、３２間に掛け渡されたベルト３３の内側において印字部１２のノズル面及び印字検出部２４のセンサ面に対向する位置には吸着チャンバ３４が設けられており、この吸着チャンバ３４をファン３５で吸引して負圧にすることによってベルト３３上の記録紙１６が吸着保持される。
【００４０】
ベルト３３が巻かれているローラ３１、３２の少なくとも一方にモータ（図１において図示省略）の動力が伝達されることにより、ベルト３３は図１上の時計回り方向に駆動され、ベルト３３上に保持された記録紙１６は図１の左から右へと搬送される。なお、ベルト３３の詳細は後述する。
【００４１】
縁無しプリント等を印字するとベルト３３上にもインクが付着するので、ベルト３３の外側の所定位置（印字領域以外の適当な位置）にベルト清掃部３６が設けられている。ベルト清掃部３６の構成について詳細は図示しないが、例えば、ブラシ・ロール、吸水ロール等をニップする方式、清浄エアーを吹き掛けるエアーブロー方式、或いはこれらの組み合わせなどがある。清掃用ロールをニップする方式の場合、ベルト線速度とローラ線速度を変えると清掃効果が大きい。
【００４２】
なお、吸着ベルト搬送部２２に代えて、ローラ・ニップ搬送機構を用いる態様も考えられるが、印字領域をローラ・ニップ搬送すると、印字直後に用紙の印字面をローラが接触するので画像が滲み易いという問題がある。したがって、本例のように、印字領域では画像面を接触させない吸着ベルト搬送が好ましい。
【００４３】
吸着ベルト搬送部２２により形成される用紙搬送路上において印字部１２の上流側には、加熱ファン４０が設けられている。加熱ファン４０は、印字前の記録紙１６に加熱空気を吹き付け、記録紙１６を加熱する。印字直前に記録紙１６を加熱しておくことにより、インクが着弾後乾き易くなる。
【００４４】
印字部１２は、最大紙幅に対応する長さを有するライン型ヘッドを紙送り方向と直交する方向（主走査方向）に配置した、いわゆるフルライン型のヘッドとなっている（図２参照）。詳細な構造例は後述するが、各印字ヘッド１２Ｋ，１２Ｃ，１２Ｍ，１２Ｙは、図２に示したように、本インクジェット記録装置１０が対象とする最大サイズの記録紙１６の少なくとも一辺を超える長さにわたってインク吐出口（ノズル）が複数配列されたライン型ヘッドで構成されている。
【００４５】
図２に矢印で示す記録紙１６の送り方向（紙搬送方向、上述した主走査方向と直交する方向であり、これを副走査方向という。）に沿って上流側（図２の左側）から黒（Ｋ）、シアン（Ｃ）、マゼンタ（Ｍ）、イエロー（Ｙ）の順に各色インクに対応した印字ヘッド１２Ｋ，１２Ｃ，１２Ｍ，１２Ｙが配置されている。記録紙１６を搬送しつつ各印字ヘッド１２Ｋ，１２Ｃ，１２Ｍ，１２Ｙからそれぞれ色インクを吐出することにより記録紙１６上にカラー画像を形成し得る。
【００４６】
このように、紙幅の全域をカバーするフルラインヘッドがインク色ごとに設けられてなる印字部１２によれば、副走査方向について記録紙１６と印字部１２を相対的に移動させる動作を一回行うだけで（すなわち１回の副走査で）、記録紙１６の全面に画像を記録することができる。これにより、印字ヘッドが紙搬送方向である副走査方向と直交する主走査方向に往復動作するシャトル型ヘッドに比べて高速印字が可能であり、生産性を向上させることができる。
【００４７】
なお、上で記録紙１６の搬送方向を副走査方向とし、これに直交する記録紙１６の幅方向を主走査方向としたが、ノズルの駆動制御方法である主走査及び副走査の概念についてここで説明しておく。
【００４８】
記録媒体（記録紙１６）の全幅に対応したノズル列を有するフルラインヘッドでノズルを駆動する時には、（１）全ノズルを同時に駆動、（２）ノズルを片方から他方に向かって順次駆動、（３）ノズルをブロックに分割してブロック毎にそのブロック内のノズルを片方から他方に向かって順次駆動、等の駆動方法があり、記録媒体の幅方向（記録媒体の搬送方向と直交する方向）に１ラインまたは１個の帯状を印字するようなノズルの駆動方法を主走査と定義する。
【００４９】
また、上述したフルラインヘッドと記録媒体とを相対的に移動することによって、上述した主走査で形成された１ライン（１列のドットによるラインまたは複数列のドットから成るライン）の印字を繰り返し行うようなノズルの駆動方法を副走査と定義する。
【００５０】
なお、本例では、ＫＣＭＹの標準色（４色）の構成を例示したが、インク色や色数の組み合わせについては本実施形態に限定されず、必要に応じて淡インク、濃インクを追加してもよい。例えば、ライトシアン、ライトマゼンタなどのライト系インクを吐出する印字ヘッドを追加する構成も可能である。
【００５１】
図１に示したように、インク貯蔵／装填部１４は、各印字ヘッド１２Ｋ，１２Ｃ，１２Ｍ，１２Ｙに対応する色のインクを貯蔵するタンクを有し、各タンクは不図示の管路を介して各印字ヘッド１２Ｋ，１２Ｃ，１２Ｍ，１２Ｙと連通されている。また、インク貯蔵／装填部１４は、インク残量が少なくなるとその旨を報知する報知手段（表示手段、警告音発生手段）を備えるとともに、色間の誤装填を防止するための機構を有している。
【００５２】
印字検出部２４は、印字部１２の打滴結果を撮像するためのイメージセンサを含み、該イメージセンサによって読み取った打滴画像からノズルの目詰まりその他の吐出不良をチェックする手段として機能する。
【００５３】
本例の印字検出部２４は、少なくとも各印字ヘッド１２Ｋ，１２Ｃ，１２Ｍ，１２Ｙによるインク吐出幅（画像記録幅）よりも幅の広い受光素子列を有するラインセンサ（図９の符号２４Ａ）で構成される。このラインセンサは、赤（Ｒ）の色フィルタが設けられた光電変換素子（画素）がライン状に配列されたＲセンサ列と、緑（Ｇ）の色フィルタが設けられたＧセンサ列と、青（Ｂ）の色フィルタが設けられたＢセンサ列と、からなる色分解ラインＣＣＤセンサで構成されている。なお、ラインセンサに代えて、受光素子が二次元配列されて成るエリアセンサを用いることも可能である。
【００５４】
印字検出部２４は、各色の印字ヘッド１２Ｋ，１２Ｃ，１２Ｍ，１２Ｙにより印字されたテストパターンを読み取り、各ヘッドの吐出検出を行う。吐出判定は、吐出の有無、ドットサイズの測定、ドット着弾位置の測定などで構成される。また、印字検出部２４には、打滴されたドットに光を照射させる光源を備えている。
【００５５】
印字検出部２４の後段には、後乾燥部４２が設けられている。後乾燥部４２は、印字された画像面を乾燥させる手段であり、例えば、加熱ファンが用いられる。印字後のインクが乾燥するまでは印字面と接触することは避けたほうが好ましいので、熱風を吹き付ける方式が好ましい。
【００５６】
多孔質のペーパに染料系インクで印字した場合などでは、加圧によりペーパの孔を塞ぐことでオゾンなど、染料分子を壊す原因となるものと接触することを防ぐことで画像の耐候性がアップする効果がある。
【００５７】
後乾燥部４２の後段には、加熱・加圧部４４が設けられている。加熱・加圧部４４は、画像表面の光沢度を制御するための手段であり、画像面を加熱しながら所定の表面凹凸形状を有する加圧ローラ４５で加圧し、画像面に凹凸形状を転写する。
【００５８】
こうして生成されたプリント物は排紙部２６から排出される。なお、大きめの用紙に本画像（目的の画像を印刷したもの）とテスト印字とを同時に並列に形成する場合は、カッター（第２のカッター）４８によってテスト印字の部分を切り離す。カッター４８は、排紙部２６の直前に設けられており、画像余白部にテスト印字を行った場合に本画像とテスト印字部を切断するためのものである。カッター４８の構造は前述した第１のカッター２８と同様であり、固定刃４８Ａと丸刃４８Ｂとから構成される。
【００５９】
また、図１には示さないが、本画像の排出部２６には、オーダ別に画像を集積するソーターが設けられる。
【００６０】
次に、印字ヘッドの構造について説明する。インク色ごとに設けられている各印字ヘッド１２Ｋ，１２Ｃ，１２Ｍ，１２Ｙの構造は共通しているので、以下、これらを代表して符号５０によって印字ヘッドを示すものとする。
【００６１】
図３に、本実施形態の印字ヘッドを下から見た底面図を示す。図３に示すように、印字ヘッド５０は、高剛性の長尺のベースプレート（ベース基板）５０ａの長手方向に沿って上下に２本平行に並んだ共通液室９０が配置され、各共通液室９０に対して短尺ヘッド（短尺ヘッドモジュール）９２が（図３に示す例では上下の各共通液室９０に対してそれぞれ３個ずつ）互い違いに配列されて長尺のラインヘッドを構成している。ここで共通液室９０とは、短尺ヘッド９２にインクを供給するための共通の供給流路である。
【００６２】
各短尺ヘッド９２は、ベースプレート５０ａに対して着脱自在に取り付けられており、簡単に取り外し可能であり、故障時にはその故障した短尺ヘッド９２のみを個別に交換すれば済むようになっている。また各短尺ヘッド９２は、ベースプレート５０ａの長手方向において多少相互にオーバーラップするように設置され、短尺ヘッド９２毎の繋ぎ部の補完を行うようになっている。
【００６３】
なお、高剛性の長尺のベースプレート５０ａは、薄板を複数枚積層して形成された剛体であってもよい。また、共通液室９０の両端には、インク貯蔵／装填部１４のインクを貯蔵するタンクからインクの供給を受けるインク供給口９１が設けられている。
【００６４】
各短尺ヘッド９２には、複数の支流９４が設けられており、支流９４の一端にはベースプレート５０ａの共通液室９０からインクの供給を受けるためのインク供給口９３が設けられている。ここで支流とは、短尺ヘッド内の液（インク）流路であり、ベースプレート５０ａの共通液室９０がいわば本流であるのに対して、支流と名付けたものである。
【００６５】
図４に、一つの短尺ヘッド９２を拡大して示す。短尺ヘッド９２の各支流９４に沿ってインクを吐出するノズル５１が形成されている。図４は模式的に表したものであり、支流９４の数や各支流９４に設置されるノズル５１の数は図示されたものに限定されるものではなく、実際には各短尺ヘッド９２にはもっと多数のノズル５１が設置されていてもよい。また、支流９４もこのように各インク供給口９３から１本延びるだけでなく、インク供給口９３から延びる支流９４からさらに支流（副支流）が枝分かれして、この枝分かれした支流毎に複数のノズルが形成されるようになっていてもよい。
【００６６】
各ノズル５１には、ノズル５１からインクを吐出させるための圧力をインクに加える圧力室等から成る圧力室ユニットが対応している。図５に、一つのノズル５１に対応した圧力室ユニット５４を平面図で示す。
【００６７】
圧力室ユニット５４は、ノズル５１に連通した圧力室５２と、支流９４（図５では図示省略）から圧力室５２内にインクを供給するためのインク供給口（供給絞り）５３を有している。図５に示すように、圧力室５２は、平面形状が略正方形状をなしており、その対角線の両端にノズル５１及びインク供給口５３が形成されている。
【００６８】
図６に、図５中のVI-VI 線に沿った断面図を示す。図６に示すように、圧力室５２の天面を構成している振動板５６には個別電極５７を備えたアクチュエータ５８が接合されている。個別電極５７に駆動電圧を印加することによってアクチュエータ５８が変形して圧力室５２に連通したノズル５１からインクが吐出される。
【００６９】
一方、圧力室５２はインク供給口５３を通じて支流９４と連通しており、インクが吐出されると支流９４からインク供給口５３を介して新しいインクが圧力室５２に供給されるようになっている。
【００７０】
図７に、図４中のVII-VII 線に沿った断面図を示す。但し図７においては、各短尺ヘッド９２のベースプレート５０ａへの取り付け方がよくわかるように短尺ヘッド９２とベースプレート５０ａとを離して表示している。
【００７１】
図７に示すように、各短尺ヘッド９２とベースプレート５０ａとの取り付け部（連結部）においては、短尺ヘッド９２のインク供給口９３を突出させた突起部９５にＯリング９６を挟んでベースプレート５０ａの取り付け穴５０ｂに固定することでシール性が確保されるとともに、短尺ヘッド９２内の支流９４とベースプレート５０ａに形成された共通液室９０とを直接連通させるようになっている。
【００７２】
このとき、短尺ヘッド９２をベースプレート５０ａに取り付ける際、ベースプレート５０ａと短尺ヘッド９２との位置決めを行う位置決め機構がそれぞれに設置されている。位置決め機構としては、特に限定されるものではなく、例えばそれぞれに設けたピンとこれを差し込む穴との嵌合によって行ってもよいし、それぞれに設けた基準穴を例えば自動機等でその画像を認識して位置決めを行うようにしてもよい。あるいは、前記短尺ヘッド９２の突起部９５とベースプレート５０ａの取り付け穴５０ｂで構成される連結部を、単に液滴流路を連通させるための連結部としてだけでなく、位置決め機構としても兼用するようにしてもよい。このように位置決め機構を備えることにより、短尺ヘッド９２の取り外し及び取り付けを容易に行うことができる。また、場合によっては、着脱作業を完全に自動化することも可能である。
【００７３】
また、連結部のベースプレート５０ａ側の取り付け穴５０ｂには、逆止弁９８が設置されており、逆止弁９８の働きによってインクを抜かなくとも、短尺ヘッド９２をベースプレート５０ａから着脱する際にインクが漏れるようなことはない。このとき、逆止弁９８を制御可能な弁として、短尺ヘッド９２に大気開放可能な弁を取り付けることにより、ベースプレート５０ａから短尺ヘッド９２を取り外す前に、取り外す短尺ヘッド９２内のインクのみを抜き取るようにすることも可能である。
【００７４】
このようにして短尺ヘッド９２をベースプレート５０ａに取り付けることにより、ベースプレート５０ａの共通液室９０からインク供給口９３を介して短尺ヘッド９２内の支流９４に供給されたインクは、図６に示すように短尺ヘッド９２内の支流９４から圧力室ユニット５４のインク供給口５３を介して各ノズル５１に対応する圧力室５２へと配分される。
【００７５】
このように、ベースプレート５０ａ上に形成された十分なインク容量を確保した共通液室９０からすべての短尺ヘッド９２がインクの供給を受けられるようになっている。このとき、本実施形態においては、各短尺ヘッド９２が完全に独立しているわけではないので、全体で内圧コントロールすればよい。
【００７６】
すなわち、本実施形態では、ベースプレート５０ａの長手方向に平行に２本設けた共通液室９０に十分なインク容量を確保することができ、全ての短尺ヘッド９２がこの共通液室９０に連通するように取り付けられており、共通液室９０を共有しているため、内圧コントロールをまとめて行うことができる。その結果、インクを効率的に各短尺ヘッド９２に供給できるとともに、その内圧コントロールも容易であり、インクの高速吐出が可能となる。さらに、制御の簡略化、構造の簡略化を達成することができる。
【００７７】
また、各短尺ヘッド９２は、個別にキャップ機構を有し、個別にクリーニングが可能であることが好ましい。これにより、廃インク量を抑制することができる。
【００７８】
図８に、各短尺ヘッド９２毎にキャップ機構を有するようにしたインク供給系の概略構成を示す。
【００７９】
インク供給タンク６０はインクを供給するための基タンクであり、図１で説明したインク貯蔵／装填部１４に設置される。インク供給タンク６０の形態には、インク残量が少なくなった場合に、図示しない補充口からインクを補充する方式と、タンクごと交換するカートリッジ方式とがある。使用用途に応じてインク種類を変える場合には、カートリッジ方式が適している。この場合、インクの種類情報をバーコード等で識別して、インク種類に応じた吐出制御を行うことが好ましい。なお、図８に示すインク供給タンク６０は、先に記載した図１のインク貯蔵／装填部１４と等価のものである。
【００８０】
図８に示したように、インク供給タンク６０から短尺ヘッド９２へは、ベースプレート５０ａの共通液室９０を介してインクが供給される。インク供給タンク６０と短尺ヘッド９２の中間には、異物や気泡を除去するためにフィルタ６２が設けられている。フィルタ・メッシュサイズは、ノズル径と同等若しくはノズル径以下（一般的には、２０μｍ程度）とすることが好ましい。
【００８１】
なお、図８には示さないが、印字ヘッド５０の近傍又はベースプレート５０ａと一体にサブタンクを設ける構成も好ましい。サブタンクは、ヘッドの内圧変動を防止するダンパ効果及びリフィルを改善する機能を有する。
【００８２】
また、インクジェット記録装置１０には、ノズル５１の乾燥防止又はノズル５１近傍のインク粘度上昇を防止するための手段としてのキャップ６４と、ノズル５１面の清掃手段としてのクリーニングブレード６６とが各短尺ヘッド９２毎に設けられている。
【００８３】
これらキャップ６４及びクリーニングブレード６６を含むメンテナンスユニットは、図示しない移動機構によって短尺ヘッド９２に対して相対移動可能であり、必要に応じて所定の退避位置から短尺ヘッド９２下方のメンテナンス位置に移動される。
【００８４】
キャップ６４は、図示せぬ昇降機構によって短尺ヘッド９２に対して相対的に昇降変位される。電源ＯＦＦ時や印刷待機時にキャップ６４を所定の上昇位置まで上昇させ、短尺ヘッド９２に密着させることにより、ノズル５１面（インク吐出面）をキャップ６４で覆う。
【００８５】
印字中又は待機中において、特定のノズル５１の使用頻度が低くなり、ある時間以上インクが吐出されない状態が続くと、ノズル近傍のインク溶媒が蒸発してインク粘度が高くなってしまう。このような状態になると、アクチュエータ５８が動作してもノズル５１からインクを吐出できなくなってしまう。
【００８６】
このような状態になる前に（アクチュエータ５８の動作により吐出が可能な粘度の範囲内で）アクチュエータ５８を動作させ、その劣化インク（粘度が上昇したノズル近傍のインク）を排出すべくキャップ６４（インク受け）に向かって予備吐出（パージ、空吐出、つば吐き）が行われる。
【００８７】
また、短尺ヘッド９２内のインク（圧力室５２内）に気泡が混入した場合、アクチュエータ５８が動作してもノズルからインクを吐出させることができなくなる。このような場合には短尺ヘッド９２にキャップ６４を当て、吸引ポンプ６７で圧力室５２内のインク（気泡が混入したインク）を吸引により除去し、吸引除去したインクを回収タンク６８へ送液する。
【００８８】
この吸引動作は、初期のインクのヘッドへの装填時、或いは長時間の停止後の使用開始時にも粘度上昇（固化）した劣化インクの吸い出しが行われる。なお、吸引動作は圧力室５２内のインク全体に対して行われるので、インク消費量が大きくなる。したがって、インクの粘度上昇が小さい場合には予備吐出を行う態様が好ましい。
【００８９】
クリーニングブレード６６は、ゴムなどの弾性部材で構成されており、図示せぬブレード移動機構（ワイパー）により短尺ヘッド９２のインク吐出面（ノズル板表面）に摺動可能である。ノズル板にインク液滴又は異物が付着した場合、クリーニングブレード６６をノズル板に摺動させることでノズル板表面を拭き取り、ノズル板表面を清浄する。なお、該ブレード機構によりインク吐出面の汚れを清掃した際に、該ブレードによってノズル５１内に異物が混入することを防止するために予備吐出が行われる。
【００９０】
図９はインクジェット記録装置１０のシステム構成を示す要部ブロック図である。インクジェット記録装置１０は、通信インターフェース７０、システムコントローラ７２、画像メモリ７４、モータドライバ７６、ヒータドライバ７８、プリント制御部８０、画像バッファメモリ８２、ヘッドドライバ８４等を備えている。
【００９１】
通信インターフェース７０は、ホストコンピュータ８６から送られてくる画像データを受信するインターフェース部である。通信インターフェース７０にはＵＳＢ、ＩＥＥＥ１３９４、イーサネット、無線ネットワークなどのシリアルインターフェースやセントロニクスなどのパラレルインターフェースを適用することができる。この部分には、通信を高速化するためのバッファメモリ（図示省略）を搭載してもよい。ホストコンピュータ８６から送出された画像データは通信インターフェース７０を介してインクジェット記録装置１０に取り込まれ、一旦画像メモリ７４に記憶される。画像メモリ７４は、通信インターフェース７０を介して入力された画像を一旦格納する記憶手段であり、システムコントローラ７２を通じてデータの読み書きが行われる。画像メモリ７４は、半導体素子からなるメモリに限らず、ハードディスクなど磁気媒体を用いてもよい。
【００９２】
システムコントローラ７２は、通信インターフェース７０、画像メモリ７４、モータドライバ７６、ヒータドライバ７８等の各部を制御する制御部である。システムコントローラ７２は、中央演算処理装置（ＣＰＵ）及びその周辺回路等から構成され、ホストコンピュータ８６との間の通信制御、画像メモリ７４の読み書き制御等を行うとともに、搬送系のモータ８８やヒータ８９を制御する制御信号を生成する。
【００９３】
モータドライバ７６は、システムコントローラ７２からの指示にしたがってモータ８８を駆動するドライバ（駆動回路）である。ヒータドライバ７８は、システムコントローラ７２からの指示にしたがって後乾燥部４２等のヒータ８９を駆動するドライバである。
【００９４】
プリント制御部８０は、システムコントローラ７２の制御に従い、画像メモリ７４内の画像データから印字制御用の信号を生成するための各種加工、補正などの処理を行う信号処理機能を有し、生成した印字制御信号（印字データ）をヘッドドライバ８４に供給する制御部である。プリント制御部８０において所要の信号処理が施され、該画像データに基づいてヘッドドライバ８４を介して印字ヘッド５０の各短尺ヘッド９２のインク液滴の吐出量や吐出タイミングの制御が行われる。これにより、所望のドットサイズやドット配置が実現される。
【００９５】
プリント制御部８０には画像バッファメモリ８２が備えられており、プリント制御部８０における画像データ処理時に画像データやパラメータなどのデータが画像バッファメモリ８２に一時的に格納される。なお、図９において画像バッファメモリ８２はプリント制御部８０に付随する態様で示されているが、画像メモリ７４と兼用することも可能である。また、プリント制御部８０とシステムコントローラ７２とを統合して一つのプロセッサで構成する態様も可能である。
【００９６】
ヘッドドライバ８４はプリント制御部８０から与えられる印字データに基づいて印字ヘッド５０（各色の印字ヘッド１２Ｋ，１２Ｃ，１２Ｍ，１２Ｙ）のアクチュエータを駆動する。ヘッドドライバ８４にはヘッドの駆動条件を一定に保つためのフィードバック制御系を含んでいてもよい。
【００９７】
このように、本実施形態によれば長尺ヘッドを構成すべきベースプレート（べース基板）に共通の供給流路（共通液室９０）を持ち、これに対して容易に取り外し可能な短尺ヘッド９２を組み合わせて長尺ラインヘッド（印字ヘッド５０）を形成するようにしたため、共通液室に十分な容量を確保でき、内圧コントロールをベースプレートのみにすればよく、構造を簡略化することができる。
【００９８】
また、各短尺ヘッドのベースプレートへの取り付け、取り外しが容易であり、組み立て、交換作業工数を低減することができ、メンテナンス性を向上させることができる。さらに、長尺ラインヘッドを構成する一つの短尺ヘッドで故障が発生した場合には、その故障した短尺ヘッドのみを交換すればよいため、特率向上、歩留り向上及びメンテナンス効率を向上させることが可能となる。
【００９９】
次に、本発明の第２実施形態について説明する。
【０１００】
本実施形態も前述した第１実施形態と同様に、高剛性の長尺のベースプレートに十分な容量の流路を設け、これに対して取り外し可能に複数の短尺ヘッドを組み合わせて長尺のラインヘッドを構成するようにしたものであり、画像形成装置としての全体構成は第１実施形態と略同様である。
【０１０１】
図１０に、第２実施形態の印字ヘッドを示す。図１０は、本実施形態の印字ヘッドを下から見た底面図である。
【０１０２】
図１０に示すように、本実施形態の印字ヘッド１５０は、高剛性の長尺のベースプレート１５０ａの長手方向に沿って上下に２本平行に並べて共通液室１９０が配置されている。さらに、長手方向に対し所定の傾きを有する複数の共通液室１９０ａにより、長手方向に平行に並んだ２本の共通液室１９０、１９０の間を掛け渡し、梯子状の共通液室が形成される。
【０１０３】
また、長手方向に２本平行に配置された共通液室１９０の両端にはそれぞれインクタンクからインクの供給を受けるインク供給口１９１ａ、１９１ｂが設けられている。そして図１０に矢印で示すように、長手方向に平行な共通液室１９０の一方のインク供給口１９１ａからインクを取り入れ、長手方向に平行な２本の共通液室１９０、１９０及びこれらを掛け渡す共通液室１９０ａの間にインクを循環させ、長手方向に平行な共通液室１９０の他方のインク供給口１９１ｂからインクを出すようにして、すべての共通液室（長手方向に平行な共通液室１９０及びこれらを掛け渡す共通液室１９０ａ）が行き止まりなく、一定方向のインクの流れを形成し、全体をインクが循環するようにする。
【０１０４】
また、このとき図１０には破線で１つだけ示したが、上下２本の長手方向に平行な共通液室１９０、１９０を結んでいる共通液室１９０ａに対し、一つずつ短尺ヘッド１９２を取り付けるようにして、短尺ヘッド１９２の支流にインクを供給するようにする。
【０１０５】
図１１に、本実施形態において、長手方向に平行な２本の共通液室１９０、１９０の間を掛け渡す共通液室１９０ａ上に配置された短尺ヘッド１９２を示す。
【０１０６】
図１１に示すように、短尺ヘッド１９２には、複数の支流１９４が、ベースプレート１５０ａ（図１０参照）の長手方向に対し所定の角度を有して、それぞれ平行に形成されている。各支流１９４の中央部にはインク供給口１９３が設けられ、インク供給口１９３は、長手方向に平行な２本の共通液室１９０、１９０を結ぶ共通液室１９０ａ上に略一列に並ぶように配置されている。各支流１９４には、インク供給口１９３を挟んで左右対称的に同数のノズル１５１が連通されている。
【０１０７】
図１２に、図１１中のXII-XII 線に沿った断面図を示す。
【０１０８】
図１２に示すように、短尺ヘッド１９２には、ベースプレート１５０ａの長手方向（図１０参照）の略中央部にインク供給口１９３が設けられ、インク供給口１９３の左右に対称的に延びた支流１９４が形成されている。各支流１９４には、各ノズル１５１に対応した圧力室ユニット１５４が形成されている。
【０１０９】
また、短尺ヘッド１９２のベースプレート１５０ａへの取り付け部（連結部）においては、インク供給口１９３を突出させた突起部１９５に対応させて、ベースプレート１５０ａ側には共通液室１９０ａ上に逆止弁１９８を備えた取り付け穴１５０ｂが形成されている。
【０１１０】
このように、本実施形態においては、ベースプレート１５０ａの長手方向に平行に並んだ２本の共通液室１９０、１９０を長手方向に対し所定の傾きを持つ共通液室１９０ａで結び、相互にインクが循環可能な梯子状の行き止まりのない流路構造として共通液室を形成している。また、上下２本の共通液室１９０、１９０を結んでいる各共通液室１９０ａに対して、それぞれ１つずつ短尺ヘッド１９２を取り付け、各共通液室１９０ａ上に、短尺ヘッド１９２の支流１９４にインクを供給するインク供給口１９３に対応する複数の繋ぎ部が設けられ、この複数口からのインク供給及び循環供給を可能として、各短尺ヘッド１９２の支流１９４に形成されたノズル１５１にインクが行き渡り易くするとともに、廃棄されるインク量を最小限に抑えるようにしている。また、ベースプレートの流路の行き止まりをなくしたため、共通液室に気泡が溜まりにくい。
【０１１１】
すなわち、本実施形態においては、すべての共通液室（１９０、１９０ａ）が行き止まりなく、一定方向の流れが形成されるため、共通液室へのインク充填に有効である。また、すべての共通液室へのインク充填が完了してから、キャップを当てて吸引を行うようにすれば廃棄するインク量を低減することができる。
【０１１２】
また、図に示した例では、左側の２つのインク供給口１９１ａからインクを供給して、右側の２つのインク供給口１９１ｂからインクを排出するようにしているが、インク供給方法はこれに限定されるものではない。例えば、この左右４つの角部に設けられたインク供給口１９１ａ、１９１ｂからインクを供給することにより印字動作の安定化を図るようにしてもよい。また、インク供給口１９１ａ、１９１ｂに接続される流路（図示省略）にインクの流れの開閉手段を設けて印字ヘッド１５０内のインクの流れを制御するようにしてもよい。例えば、４つの角部のインク供給口１９１ａ、１９１ｂのうち互いに対角方向にある２つずつの組のうち一方を閉じて、他方の対角方向のみインクを流すようにして各共通液室１９０、１９０ａにインクを良く供給できるようにしてもよい。
【０１１３】
このように、本実施形態においては、短尺ヘッド１９２のインク供給口１９３を介して共通液室１９０ａから支流１９４にインクを取り込んで、支流１９４からノズル１５１に対応する圧力室１５２にインクを供給しているが、このように支流１９４を介さずに、ベースプレート１５０ａの共通液室１９０ａから直接に圧力室１５２にインクを供給するようにしてもよい。
【０１１４】
図１３に、このように共通液室から直接圧力室にインクを供給する例を示す。
【０１１５】
図１３に示すように、短尺ヘッド１９２に設けられた各ノズル１５１に対応する圧力室１５２のインク供給口１５３から、直接、例えば内径３０μｍ程度のパイプ（突起部）１９５が突出しその先端がベースプレート１５０ａの共通液室１９０ａからインクを取り入れるインク供給口１９３となっている。
【０１１６】
一方、ベースプレート１５０ａには、各ノズル１５１毎に設けられた突起部１９５に対応して取り付け穴１５０ｂが設けられている。取り付け穴１５０ｂには逆止弁１９８が設置されている。短尺ヘッド１９２の各圧力室１５２から延びた突起部１９５をベースプレート１５０ａ側の取り付け穴１５０ｂに差し込んで圧接固定して、共通液室１９０ａから直接圧力室１５２にインクが供給される。なお、この場合には、共通液室１９０ａは短尺ヘッド１９２に形成されるノズル１５１の位置に対応するように形成される。
【０１１７】
このとき、内径３０μｍ程度の突起部１９５が供給絞りの役割を果たし、短尺ヘッド１９２をベースプレート１５０ａから取り外してもインク供給口１９３からインクが漏れることはないようになっている。これにより、短尺ヘッド１９２の構造が簡略化され、短尺ヘッド１９２内のインクを短尺ヘッド１９２を取り外す前に抜かなくとも、短尺ヘッド１９２の交換が可能となる。
【０１１８】
次に、本発明の第３実施形態について説明する。
【０１１９】
本実施形態も前述した第１あるいは第２実施形態と同様に、高剛性の長尺のベースプレートに十分な容量の流路を設け、これに対して取り外し可能に複数の短尺ヘッドを組み合わせて長尺のラインヘッドを構成するようにしたものであり、画像形成装置としての全体構成は第１あるいは第２実施形態と略同様である。
【０１２０】
図１４に、本実施形態の短尺ヘッドを示す。図１４に示すように、本実施形態の短尺ヘッド２９２は、ベースプレート２５０ａの長手方向に平行に並んで設けられた２本の共通液室２９０、２９０の間を掛け渡すように取り付けられる。
【０１２１】
短尺ヘッド２９２の中央部には、２本の共通液室２９０、２９０の間を掛け渡すように１本の支流２９４が形成され、支流２９４の両端には、各共通液室２９０、２９０からそれぞれインクを取り入れるためのインク供給口２９３、２９３が設けられている。
【０１２２】
支流２９４から複数の副支流２９４ａがそれぞれ平行に延びて形成されており、各副支流２９４ａはそれぞれ複数のノズル２５１に連通している。
【０１２３】
図１５に、図１４中のXV-XV 線に沿った断面図を示す。
【０１２４】
短尺ヘッド２９２の支流２９４は、短尺ヘッド２９２の内部を端から端まで貫いて形成され、その両端にベースプレート２５０ａと連結するためのインク供給口２９３が設けられた突起部２９５が形成されている。
【０１２５】
ベースプレート２５０ａの共通液室２９０側には、上記突起部２９５を受け入れるための取り付け穴２５０ｂが設けられている。取り付け穴２５０ｂには、逆止弁２９８が設置されている。
【０１２６】
短尺ヘッド２９２の支流２９４の両端の突起部２９５をベースプレート２５０ａの取り付け穴２５０ｂに差し込むことにより、２本の共通液室２９０、２９０は短尺ヘッド２９２の支流２９４によって連通する。
【０１２７】
これにより、図１４に矢印で示したように、一方の共通液室２９０から支流２９４の一方のインク供給口２９３を介してインクが支流２９４内に供給され、各副支流２９４ａから各ノズル２５１へインクが供給され、支流２９４の他方のインク供給口２９３から他方の共通液室２９０へインクが出ていくようにして、短尺ヘッド２９２内をインクが循環するようになっている。
【０１２８】
前述した第２実施形態においては、図１１に示したように、共通液室１９０ａと短尺ヘッド１９２の各支流１９４との連結部であるインク供給口１９３が多数あったが、本実施形態では、図１４に示すように短尺ヘッド２９２の支流２９４と共通液室２９０との連結部のインク供給口２９３は図の上下の２箇所のみである。
【０１２９】
このように、接続部（連結部）を少なくして、１つのインク供給口２９３から取り入れたインクをすべての圧力室２５２に供給するようにして、短尺ヘッド２９２の連結部のシール性ばらつきによる吐出ばらつきを抑制することが可能となる。
【０１３０】
次に、本発明の第４実施形態について説明する。
【０１３１】
図１６に、本実施形態の印字ヘッドを上から見た平面図を示す。図１６に示すように、本実施形態の印字ヘッド３５０は、高剛性の長尺のベースプレート３５０ａの中央部がくり抜かれて開放された空間３５０ｃとなり開口している。すなわち、ベースプレート３５０ａは、横に細長いロの字状の枠のみとなっている。
【０１３２】
そして、枠状のベースプレート３５０ａの長手方向の部分に共通液室３９０が形成されている。図示は省略するが共通液室３９０の両端にはインクタンクからのインク供給を受けるインク供給口が設けられている。
【０１３３】
また、図１６は上から見た図であり、枠状のベースプレート３５０ａの下側に、長手方向に沿って複数の短尺ヘッド３９２が互い違いに配列され、着脱自在に取り付けられている。短尺ヘッド３９２には、第１実施形態と同様に、複数の支流３９４が設けられている。図示は省略するが支流３９４に沿って複数のノズルが設けられ、支流３９４の一端には共通液室３９０からインクを取り入れるインク供給口が設けられている。
【０１３４】
本実施形態においては、ベースプレート３５０ａの中央部が開口しているため、各短尺ヘッド３９２の駆動元であるアクチュエータへの配線等のアクセスが可能となっている。
【０１３５】
次に、本発明の第５実施形態について説明する。
【０１３６】
本実施形態は、長尺のベースプレートに形成された共通液室に複数の短尺ヘッドを組み合わせて長尺のラインヘッドを構成した場合に、共通液室の流路抵抗等によるローカリティ、すなわち共通液室内におけるインクタンクからのインク供給口からの位置によって流路抵抗等のばらつきが存在するため、各短尺ヘッドの取り付け位置によってインク吐出量にばらつきが生じる虞れがある場合に、この吐出量のばらつきを補正するような駆動波形を各圧力室ユニットに与えようというものである。
【０１３７】
図１７に、本実施形態の印字ヘッドを示す。図１７に示すように、本実施形態の印字ヘッド４５０は、図１０に示す第２実施形態の印字ヘッド１５０と同様に、長手方向に平行に２本の共通液室４９０、４９０と、この２本の共通液室４９０、４９０の間を掛け渡すように形成された複数の共通液室Ｒ１〜Ｒ８によって梯子状に共通液室（４９０、Ｒ１、・・・、Ｒ８）が形成されている。そして、各共通液室Ｒ１〜Ｒ８の上にそれぞれ短尺ヘッドＨ１〜Ｈ８が着脱自在に組み合わされている。短尺ヘッドＨ１〜Ｈ８には、図示を省略したが支流及びノズルが形成されている。
【０１３８】
長手方向に平行に並んだ２本の共通液室４９０の両端には、それぞれインクタンクからインクの供給を受けるインク供給口４９１ａ及び４９１ｂが設けられている。そして、図１７中に矢印で示したように、一方のインク供給口４９１ａから共通液室４９０にインクが供給され、共通液室４９０の中を左から右方向にインクが流れ、共通液室４９０等の間を循環して、他方のインク供給口４９１ｂから出ていくようになっている。
【０１３９】
各共通液室Ｒ１、Ｒ２、・・・の流量特性ｆ（Ｒ１）、ｆ（Ｒ２）、・・・は、ベースプレート４５０ａ固有の構造で決まる。そこで、共通液室Ｒ１に接続する短尺ヘッドＨ１、共通液室Ｒ２に接続する短尺ヘッドＨ２、・・・の各々の駆動波形の波形高さの補正係数α１、α２、・・・を、関数ｇで設定する。
【０１４０】
すなわち、α１＝ｇ（ｆ（Ｒ１））、α２＝ｇ（ｆ（Ｒ２））、・・・のように設定する。この補正係数αは、例えば図１７に示したように図の右側の供給抵抗が左側の供給抵抗より高いような構造を有するベースプレートの場合には、図１８に示すグラフのようになる。これにより、短尺ヘッド４９２を共通モジュール化して、ベースプレート４５０ａの取り付け位置に応じてその吐出駆動波形を、前述したプリント制御部８０（図９参照）によって制御されるヘッドドライバ８４によって印字ヘッド４５０を制御して、補正してインク吐出を行うことにより所定の均一な吐出量を得ることが可能となる。
【０１４１】
また、この他ベースプレートの共通液室の流路抵抗等のローカリティによる吐出量のばらつきを抑えるために、共通液室の容量をさらに増加して、共通液室にインクタンクそのものの機能を備えるようにしてもよい。
【０１４２】
なお、ベースプレート４５０ａの共通液室４９０に対するインクの供給方法によっては、ベースプレートの共通液室の流路抵抗等によるローカリティが異なるため、各図１８とはまた異なるような各共通液室Ｒ１〜Ｒ８に対する補正係数が設定される。
【０１４３】
また、以上説明した各実施形態においては、いずれも各短尺ヘッドの支流がそれぞれベースプレートの共通液室と接続するように構成されていたが、各短尺ヘッドの支流同士が接続して、ベースプレートの共通液室（本流）とは一部の短尺ヘッドの支流のみが接続するようにしてもよい。
【０１４４】
また、上記実施形態では、短尺ヘッドとベースプレートとの接続はＯリングを用いていたが、Ｏリングを用いないで、短尺ヘッドとベースプレートとの間に密着性の良いゴム層を設けてシール性を確保して固定するようにしてもよい。
【０１４５】
また、短尺ヘッドをベースプレートに組み込む際の位置決めピンと短尺ヘッドのインク供給口を共通化するようにしてもよい。あるいは、短尺ヘッドへの通電用の端子で位置決めを行うようにしてもよい。
【０１４６】
以上、本発明についていくつかの実施形態を挙げて説明して来たが、いずれも、高剛性の長尺ベースプレートに共通液室を設け、これに短尺ヘッドを組み合わせて長尺のラインヘッドを形成するようにし、短尺ヘッドをベースプレートに組み込む際の位置決めを容易とし、短尺ヘッドを簡単に交換できるように着脱自在に取り付けるようにしている。
【０１４７】
これにより、共通液室に十分なインク容量を確保でき、全ての短尺ヘッドが共通液室を共有しているため内圧コントロールをまとめてすることができ、高速吐出が可能となるとともに、制御の簡略化及び構造の簡略化を実現することが可能となる。
【０１４８】
また、印字ヘッドの組み立て、短尺ヘッドの交換作業工数の低減が可能であり、組み立て性の向上及びメンテナンス性の向上を達成することができる。
【０１４９】
さらに、一つの短尺ヘッドで故障が発生した場合でも、その故障した短尺ヘッドだけを交換すればよいため、特率向上、歩留り向上を図ることができる。
【０１５０】
以上、本発明の液滴吐出ヘッド及び画像形成装置について詳細に説明したが、本発明は、以上の例には限定されず、本発明の要旨を逸脱しない範囲において、各種の改良や変形を行ってもよいのはもちろんである。
【図面の簡単な説明】
【０１５１】
【図１】本発明の第１実施形態に係る画像形成装置としてのインクジェット記録装置の全体構成図である。
【図２】図１のインクジェット記録装置の印字部付近を示す平面図である。
【図３】第１実施形態の印字ヘッドを下から見た底面図である。
【図４】第１実施形態の短尺ヘッドを拡大して示す平面図である。
【図５】一つの圧力室ユニットを示す平面図である。
【図６】図５中のVI-VI 線に沿った断面図である。
【図７】図４中のVII-VII 線に沿った断面図である。
【図８】インク供給系を示すブロック図である。
【図９】本実施形態のインクジェット記録装置のシステム構成を示すブロック図である。
【図１０】本発明の第２実施形態の印字ヘッドを示す平面図である。
【図１１】第２実施形態の短尺ヘッドを示す平面図である。
【図１２】図１１中のXII-XII 線に沿った断面図である。
【図１３】第２実施形態の他の例を示す断面図である。
【図１４】本発明の第３実施形態の短尺ヘッドを示す平面図である。
【図１５】図１４中のXV-XV 線に沿った断面図である。
【図１６】本発明の第４実施形態の印字ヘッドを上から見た平面図である。
【図１７】本発明の第５実施形態の印字ヘッドを示す平面図である。
【図１８】吐出量のローカリティを補正するための補正係数を示すグラフである。
【符号の説明】
【０１５２】
１０…インクジェット記録装置、１２…印字部、１４…インク貯蔵／装填部、１６…記録紙、１８…給紙部、２０…デカール処理部、２２…吸着ベルト搬送部、２４…印字検出部、２６…排紙部、２８…カッター、３０…加熱ドラム、３１、３２…ローラ、３３…ベルト、３４…吸着チャンバ、３５…ファン、３６…ベルト清掃部、４０…加熱ファン、４２…後乾燥部、４４…加熱・加圧部、４５…加圧ローラ、４８…カッター、５０…印字ヘッド、５１…ノズル、５２…圧力室、５３…インク供給口、５４…圧力室ユニット、５５…インク共通流路、５６…振動板、５８…アクチュエータ、７０…通信インターフェース、７２…システムコントローラ、７４…画像メモリ、７６…モータドライバ、７８…ヒータドライバ、８０…プリント制御部、８２…画像バッファメモリ、８４…ヘッドドライバ、８６…ホストコンピュータ、８８…モータ、８９…ヒータ、９０…共通液室、９１…インク供給口、９２…短尺ヘッド、９３…インク供給口、９４…支流、９５…突起部、９６…Ｏリング、９８…逆止弁
【図１】
2005329595.tif 000003
【図２】
2005329595.tif 000004
【図３】
2005329595.tif 000005
【図４】
2005329595.tif 000006
【図５】
2005329595.tif 000007
【図６】
2005329595.tif 000008
【図７】
2005329595.tif 000009
【図８】
2005329595.tif 000010
【図９】
2005329595.tif 000011
【図１０】
2005329595.tif 000012
【図１１】
2005329595.tif 000013
【図１２】
2005329595.tif 000014
【図１３】
2005329595.tif 000015
【図１４】
2005329595.tif 000016
【図１５】
2005329595.tif 000017
【図１６】
2005329595.tif 000018
【図１７】
2005329595.tif 000019
【図１８】
2005329595.tif 000020